【手続補正書】
【提出日】平成19年4月4日(2007.4.4)
【手続補正１】
【補正対象書類名】特許請求の範囲
【補正対象項目名】全文
【補正方法】変更
【補正の内容】
【特許請求の範囲】
【請求項１】
監視される領域の中に光束を放射し、
その領域の複数の映像において、粒子の存在を示す変動を検出する
粒子検出法。
【請求項２】
請求項１に記載された方法であって、さらに、前記光束を変調することを含む、ことを特徴とする方法。
【請求項３】
請求項２に記載された方法であって、前記領域の中のあるゾーンの中の散乱光が、対応する映像の１以上のセグメントに表現され、これにより、同定される前記領域内の粒子の位置を考慮する、ことを特徴とする方法。
【請求項４】
請求項１に記載された方法であって、前記粒子の位置が、放射された光の光源の位置、光の方向および映像検出の点の間の幾何学的関係により決定され、この幾何学的関係が前記複数の映像から決定される、ことを特徴とする方法。
【請求項５】
請求項１〜４のいずれかに記載された方法であって、検出された前記変動が散乱光強度の増加である、ことを特徴とする方法。
【請求項６】
請求項５に記載された方法であって、前記増加はしきい値を参照して評価される、ことを特徴とする方法。
【請求項７】
請求項６に記載された方法であって、前記しきい値は、前記複数の映像から積分強度値を平均することにより計算される、ことを特徴とする方法。
【請求項８】
請求項６または７に記載された方法であって、さらに、前記領域内で異なる空間位置について異なるしきい値を割り当てる、ことを特徴とする方法。
【請求項９】
請求項１〜８のいずれかに記載された方法であって、さらに、
前記光を１つの光路にそって向け、
前記複数の映像の中で、前記領域内で光が入射する表面に入射する点を表す狙い点を同定する
ことを特徴とする方法。
【請求項１０】
請求項９に記載された方法であって、
前記複数の映像の中の狙い点の位置が監視され、放射された光の発生が、狙い点の位置の変化に応答して終わる、
ことを特徴とする方法。
【請求項１１】
請求項１〜１０のいずれかに記載された方法であって、
さらに、前記複数の映像において発光体の位置を同定する、ことを特徴とする方法。
【請求項１２】
請求項１１に記載された方法であって、
さらに、前記発光体の同定された位置での放射強度に基づいて前記発光体の動作条件を決定する、ことを特徴とする方法。
【請求項１３】
請求項１〜１２のいずれかに記載された方法であって、
前記複数の映像は、前記監視領域内で空間的位置を表す複数の区分に分割される複数のフレームとして処理される、ことを特徴とする方法。
【請求項１４】
請求項１３に記載された方法であって、さらに、
前記複数の映像の複数の区分に関連して強度レベルを監視し、
前記区分に対応する前記領域内の異なる空間的位置に対して異なるしきい値を割り当てる、
ことを特徴とする方法。
【請求項１５】
領域を監視する装置であって、
少なくとも１つの予め決められた特性を持つ光束を前記領域の中に放射する発光体と、
その領域の少なくとも１つの映像を得る撮像装置と、
前記少なくとも１つの映像を解析して、前記領域の中で粒子の存在を示す、前記複数の映像の間で前記少なくとも１つの特性の変動を検出する処理装置と
からなる装置。
【請求項１６】
請求項１５に記載された装置であって、
前記粒子の位置を、放射された光の光源の位置、光束の方向および映像検出点の間の幾何学的関係により決定し、この幾何学的関係を前記複数の映像から決定する、ことを特徴とする装置
【請求項１７】
請求項１５または１６に記載された装置であって、
異なる光路にそって発光するように配置された複数の発光体を備える、ことを特徴とする装置。
【請求項１８】
請求項１７に記載された装置であって、さらに、
前記撮像装置が他の光源からの光に優先して前記発光体からの光を撮像するために用いる１以上のフィルタを備える、ことを特徴とする装置。
【請求項１９】
請求項１８に記載された装置であって、前記フィルタの１つは時間的フィルタであることを特徴とする装置。
【請求項２０】
請求項１８に記載された装置であって、前記フィルタの１つは空間的フィルタであることを特徴とする装置。
【請求項２１】
請求項１８に記載された装置であって、前記フィルタの１つはバンドパスフィルタであることを特徴とする装置。
【請求項２２】
請求項１８に記載された装置であって、前記フィルタの１つは偏光フィルタであることを特徴とする装置。
【請求項２３】
請求項１５〜２２のいずれかに記載された装置であって、前記撮像装置は減衰器を備えることを特徴とする装置。
【請求項２４】
請求項２３に記載された装置であって、前記減衰器が可変開口装置を備えることを特徴とする装置。
【請求項２５】
請求項１５〜２４のいずれかに記載された装置であって、複数の前記撮像装置を備えることを特徴とする装置。
【請求項２６】
請求項１５〜２５に記載された装置であって、前記撮像装置がカメラであることを特徴とする装置。
【請求項２７】
請求項１５〜２６に記載された装置であって、前記発光体がレーザであることを特徴とする装置。
【請求項２８】
粒子を検出する方法であって、
光源を見る第１撮像装置と放射された光束の光路の少なくとも一部とを置くことを含めて、前記光路を決定し、
光源の位置を処理装置に通信し、
前記光束が当たる点を見る第２撮像装置を置き、
前記当たる点の位置情報を前記処理装置に通信し、
前記光源の位置と前記当たる点の位置情報との間の幾何学的位置関係により前記光路を決定する
方法。
【請求項２９】
粒子を検出する方法であって、
光源の位置である第１点の位置を見出すことを含み、撮像装置を用いることにより、光束の光路を含む関心領域を決定し、
前記光束の前記撮像装置の視野との交差点である第２点を見出して、第１点と第２点により前記光路を決定し、
決定された前記光路を含む関心領域を計算する
方法。
【請求項３０】
請求項２９に記載された方法であって、前記第２点の位置の決定において、少なくとも１つの実質的に透明のプローブを用いる、ことを特徴とする方法。
【請求項３１】
請求項３０に記載された方法であって、前記プローブは、前記光路から取り去られることを特徴とする方法。
【請求項３２】
関心領域の中の１以上のサブ領域で煙のレベルを決定する方法であって、
前記領域内に光束を向け、
撮像装置を用いて前記光束の光路の少なくとも一部の視界を選択し、
前記撮像装置に対する前記光束の位置を決定し、
前記撮像装置に対する前記光束の方向を決定し、
前記光束を複数のセグメントに分割し、
前記複数のセグメントと前記撮像装置の間の幾何学的関係を決定し、
前記撮像装置により受光された、各セグメントの光のレベルを、前記幾何学的関係を考慮するように調整する
方法。
【請求項３３】
請求項３２に記載された方法であって、
前記複数のセグメントは少なくとも１つの画素からなる、ことを特徴とする方法。
【請求項３４】
請求項３３に記載された方法であって、
前記複数のセグメントがグループ化されて、煙検出のための複数のサブ領域を形成する、ことを特徴とする方法。
【請求項３５】
粒子を検出する装置であって、
予め決められた命令セットにより動作する処理手段を備え、前記処理手段は、前記命令セットを用いて、請求項１〜１４および２８〜３４のいずれかに記載された方法を実行可能である、装置。
【請求項３６】
粒子を検出するためデータ処理システム内にコンピュータ読み出し可能なプログラムコードとシステムコードとを備える記録媒体を備え、前記記録媒体内に、請求項１〜１４および２８〜３４のいずれかに記載された方法を実行するためのコンピュータ読み出し可能なコードを備える、コンピュータプログラムプロダクト。
【請求項３７】
監視される領域に光束を向け、この領域の複数の映像において、粒子の存在を示す変動を検出して、粒子を検出する方法であって、
前記領域内の異なる空間的位置に対して異なるしきい値を割り当てる、
方法。
【請求項３８】
請求項３７に記載された方法であって、さらに、前記光束を変調することを特徴とする方法。
【請求項３９】
請求項３７に記載された方法であって、前記領域の中の１つのゾーンでの散乱光が、対応する映像の１以上のセグメントにおいて表わされ、これにより前記領域内の粒子の位置が同定可能である、ことを特徴とする方法。
【請求項４０】
請求項３８に記載された方法であって、前記粒子の所在が、光源の位置、光束の方向および映像検出の点の間の幾何学的関係によって決定され、この幾何学的関係が前記複数の映像から決定される、ことを特徴とする方法。
【請求項４１】
請求項３７〜４０のいずれかに記載された方法であって、検出される前記変動が散乱光の強度の増加であることを特徴とする方法。
【請求項４２】
請求項４１に記載された方法であって、前記増加が、しきい値を参照して評価されることを特徴とする方法。
【請求項４３】
請求項４２に記載された方法であって、前記しきい値が前記複数の映像から積分された強度値を平均することにより計算されることを特徴とする方法。
【請求項４４】
請求項３７〜４３のいずれかに記載された方法であって、
前記光を１つの光路にそって向け、
前記複数の映像の中で、前記領域内で表面に入射する点を表す狙い点を同定する、
ことを特徴とする方法。
【請求項４５】
請求項４４に記載された方法であって、
前記複数の映像の中の狙い点の位置が監視され、前記光の生成が、この狙い点の位置の変化に対応して終わる、ことを特徴とする方法。
【請求項４６】
請求項３７〜４５のいずれかに記載された方法であって、さらに、前記複数の映像における発光体の位置を同定する、ことを特徴とする方法。
【請求項４７】
請求項４６に記載された方法であって、前記発光体の動作条件を、前記発光体の同定された前記位置を基に決定する、ことを特徴とする方法。
【請求項４８】
請求項３７〜４７のいずれかに記載された方法であって、
前記複数の映像は、前記監視領域内で空間的位置を表す複数の区分に分割される複数のフレームとして処理される、ことを特徴とする方法。
ことを特徴とする方法。
【請求項４９】
請求項４８に記載された方法であって、
前記複数の映像の区分について強度レベルを監視し、
前記区分に対応する前記領域内の異なる空間的位置に対して異なるしきい値を割り当てる、
方法。
【請求項５０】
１つの領域を監視する装置であって、
少なくとも１つの予め決められた特性を持つ光束を前記領域の中に向ける発光体と、
その領域の少なくとも１つの映像を得る撮像装置と、
前記少なくとも１つの映像を解析して、前記複数の映像の間で、前記複数の映像の中での粒子の存在を示す、前記少なくとも１つの特性の変動を検出する処理装置と
からなる装置。
【請求項５１】
請求項５０に記載された装置であって、
前記処理装置は、前記発光体の位置、前記光束の方向および撮像装置の間の、前記複数の映像から決定される幾何学的関係により前記粒子の位置を決定することを特徴とする装置。
【請求項５２】
請求項５０または５１に記載された装置であって、光を、異なる光路にそって向けるように配置された、１以上の発光体を備える、ことを特徴とする装置。
【請求項５３】
請求項５２に記載された装置であって、さらに、前記撮像装置が他の光源からの光に優先して前記発光体からの光を撮像するために用いる１以上のフィルタを備える、ことを特徴とする装置。
【手続補正２】
【補正対象書類名】明細書
【補正対象項目名】００６４
【補正方法】変更
【補正の内容】
【００６４】
散乱角の修正．
散乱角の修正は、図４のステップ４０９で論理的に決定される。入力として、このプログラムは、与えられた材料についての散乱データを含む散乱データファイルを要求する。このファイルにおけるデータは、経験的な構成処理により生成され、種々の種類の煙について平均値を含むように意図される。
【手続補正３】
【補正対象書類名】明細書
【補正対象項目名】００８３
【補正方法】変更
【補正の内容】
【００８３】
別の実施の形態が図１１Ｃに示され、２台のカメラ１０５，１０４と１つのレーザ１０６を用いる。この実施の形態において、１台のカメラが発光体を見ることができ、他のカメラが光が壁に当たった位置すなわち狙い点の位置を見ることができる。そのような構成において、カメラ１０５，１０４が同じプロセッサに接続されること、または、少なくとも相互に通信することが望ましい。このシステムは、光がブロックされたことの確認などの多くの長所を持ち、カメラ１０４に対する光の位置をより正確に決定するために使用でき、カメラ１０４は、光の前方散乱を検出する。そうして、光路の位置の不確定さが減少され、関心領域の大きさが減少できて、検出器システムの感度を増加する。さらに、火災により一般的に生じる大きい粒子がより小さい粒子（しばしばちりと結合する）よりも前方に散乱することが知られているので、粒子の特性が決定できる。もし光路の１つのセグメントについて後方散乱より前方散乱が著しく多いならば、そのセグメントでの粒子密度が、ある比率の大きい粒子を含むと解釈できる。第１の場所に粒子を存在させる事象の特性を確かめるため、このセグメントを他のセグメントまたは他の時間と比較することが有用であることがある。
【手続補正４】
【補正対象書類名】図面
【補正対象項目名】図１１ｃ
【補正方法】変更
【補正の内容】
【図１１ｃ】
2007533966.tif 000001